(57)【要約】      （修正有）【課題】端末毎に会議相手の端末と紐づけて表示される情報の対応を変更できる伝送端末を提供する。【解決手段】ネットワークを介して他の伝送端末と通信可能に接続される伝送端末１０であって、他の伝送端末から当該伝送端末に接続された表示手段に表示するための表示用データを受信する受信手段１１と、受信手段が受信した表示用データを送信する前記他の伝送端末の拠点名を、当該伝送端末に予め関連付けられた１つ以上の名称から取得する拠点名取得手段２１と、受信手段が受信した表示用データに、拠点名取得手段が取得した拠点名を合成する拠点名合成手段２３と、拠点名合成手段が拠点名を合成した表示用データを表示手段に表示する画像表示制御手段１４ｂと、を有する。【選択図】図４
2015015698.tif 000002
【特許請求の範囲】
【請求項１】
ネットワークを介して他の伝送端末と通信可能に接続される伝送端末であって、
前記他の伝送端末から当該伝送端末に接続された表示手段に表示するための表示用データを受信する受信手段と、
前記受信手段が受信した表示用データを送信する前記他の伝送端末の拠点名を、当該伝送端末に予め関連付けられた１つ以上の名称から取得する拠点名取得手段と、
前記受信手段が受信した表示用データに、前記拠点名取得手段が取得した拠点名を合成する拠点名合成手段と、
前記拠点名合成手段が拠点名を合成した表示用データを前記表示手段に表示する画像表示制御手段と、を有することを特徴とする伝送端末。
【請求項２】
前記拠点名取得手段は、前記受信手段が受信した表示用データを送信する前記他の伝送端末の拠点名を、当該伝送端末に専用の拠点名称データベースから取得する、
ことを特徴とする請求項１記載の伝送端末。
【請求項３】
前記画像表示制御手段は、前記他の伝送端末から受信した複数の表示用データを、前記表示手段の複数の領域にそれぞれ表示し、
前記他の伝送端末から表示用データのデータ識別情報及び端末識別情報を受信した場合、
前記画像表示制御手段が表示用データを表示する領域の識別情報に、前記受信手段が受信した表示用データの前記データ識別情報、及び、前記端末識別情報を対応づけて登録すると共に、
前記拠点名称データベースにて前記端末識別情報に対応づけられている拠点名を、領域の識別情報に対応づけて登録することで領域管理テーブルを作成するテーブル作成手段を有する、ことを特徴とする請求項２記載の伝送端末。
【請求項４】
前記拠点名取得手段は、前記他の伝送端末から受信した前記データ識別情報に対応づけられた拠点名を前記領域管理テーブルから取得し、
前記拠点名合成手段は、前記他の伝送端末から前記データ識別情報と共に受信した表示用データに、前記拠点名取得手段が取得した拠点名を合成する、
ことを特徴とする請求項３記載の伝送端末。
【請求項５】
前記受信手段が複数の前記他の伝送端末から表示用データを受信する場合、
前記表示手段に表示する１つ以上の表示用データを決定すると共に、予め定められた規則に基づき表示用データと領域の対応を決定する表示画像決定手段、
を有することを特徴とする請求項３又は４記載の伝送端末。
【請求項６】
前記画像表示制御手段は、表示用データを表示する複数の表示モードのうち操作受け付け手段が設定を受け付けた表示モード及び当該伝送端末が通信する前記他の伝送端末の数に基づき画面レイアウトを決定し、
前記画面レイアウトが変更された場合、
前記拠点名取得手段は、前記表示画像決定手段が領域に表示すると決定した表示用データの前記データ識別情報に対応づけられた拠点名を前記領域管理テーブルから取得し、
前記拠点名合成手段は、前記他の伝送端末から前記データ識別情報と共に受信した表示用データに、前記拠点名取得手段が取得した拠点名を合成する、
ことを特徴とする請求項５記載の伝送端末。
【請求項７】
前記受信手段は、当該伝送端末に専用の前記拠点名称データベースを有する情報処理装置から前記拠点名称データベースの全体又は一部を受信し、
前記テーブル作成手段は、前記受信手段が前記拠点名称データベースの一部として受信した前記他の伝送端末の端末識別情報に対応づけられた拠点名を用いて前記領域管理テーブルを作成するか、又は、
前記受信手段が前記拠点名称データベースの全体を受信した後、前記他の伝送端末の端末識別情報に対応づけられた拠点名を該拠点名称データベースから取得して前記領域管理テーブルを作成する、ことを特徴とする請求項５記載の伝送端末。
【請求項８】
ネットワークを介して他の伝送端末と通信可能に接続される伝送端末に、
前記他の伝送端末から当該伝送端末に接続された表示手段に表示するための表示用データを受信する受信ステップと、
前記受信ステップで受信された表示用データを送信する前記他の伝送端末の拠点名を、当該伝送端末に予め関連付けられた１つ以上の名称から取得する拠点名取得ステップと、
前記受信ステップで受信された表示用データに、前記拠点名取得ステップで取得された拠点名を合成する拠点名合成ステップと、
前記拠点名合成ステップで拠点名が合成された表示用データを前記表示手段に表示する画像表示制御ステップと、を実行させるプログラム。
【請求項９】
ネットワークを介して他の伝送端末と通信可能に接続される伝送端末が、
前記他の伝送端末から当該伝送端末に接続された表示手段に表示するための表示用データを受信する受信ステップと、
前記受信ステップで受信された表示用データを送信する前記他の伝送端末の拠点名を、当該伝送端末に予め関連付けられた１つ以上の名称から取得する拠点名取得ステップと、
前記受信ステップで受信された表示用データに、前記拠点名取得ステップで取得された拠点名を合成する拠点名合成ステップと、
前記拠点名合成ステップで拠点名が合成された表示用データを前記表示手段に表示する画像表示制御ステップと、を実行する画像表示方法。
【請求項１０】
情報処理装置と複数の伝送端末とがネットワークを介して通信可能に接続される伝送システムであって、
前記情報処理装置には、
各伝送端末に予め関連付けられた、１つ以上の伝送端末の名称が登録されており、
前記伝送端末は、
当該伝送端末に接続された表示手段に表示するための表示用データを他の伝送端末から受信する受信手段と、
前記受信手段が受信した表示用データを送信する前記他の伝送端末の拠点名を、前記情報処理装置から取得する拠点名取得手段と、
前記受信手段が受信した表示用データに、前記拠点名取得手段が取得した拠点名を合成する拠点名合成手段と、
前記拠点名合成手段が拠点名を合成した表示用データを前記表示手段に表示する画像表示制御手段と、を有する、ことを特徴とする伝送システム。
【発明の詳細な説明】
【技術分野】
【０００１】
本発明は、ネットワークを介して他の伝送端末と通信可能に接続される伝送端末等に関する。
【背景技術】
【０００２】
インターネット等の通信ネットワークを介して遠隔地との間でテレビ会議等を行う伝送システムが普及しつつある。このような伝送システムでは、複数の伝送端末の間で画像データ及び音声データの送受信が行われることにより、テレビ会議を実現することができる。また、近年のブロードバンド環境の充実化により、高画質の画像データや高音質の音声データの送受信が可能となったため、テレビ会議の相手の状況を把握し易くなり、会話による意思疎通の充実度を向上させることができるようになっている。
【０００３】
端末のディスプレイには、会議の相手が撮影された画像データが表示される。しかし、端末のユーザにとって、ディスプレイに表示された画像データが会議のどの相手の端末から送信されたものかを判別することは必ずしも容易でない。このため、ディスプレイに表示されている画像データに、送信元の端末の名称などを追加することが検討される（例えば、特許文献１参照。）。特許文献１には、複数のテレビ会議用端末から転送されてきた画像をマルチ画像として表示する際に、表示領域の一部に対応するテレビ会議用端末の情報を表示するテレビ会議システムが開示されている。
【発明の概要】
【発明が解決しようとする課題】
【０００４】
しかしながら、特許文献１に開示されたテレビ会議システムでは、議長端末であるＭＣＵがテレビ会議用端末から転送されてきた画像に、各テレビ会議用端末の名前を表示する処理を行って複数のテレビ会議用端末に送信している。すなわち、会議に参加している全てのテレビ会議用端末に表示されるマルチ画像において、テレビ会議用端末と名称の対応が固定されている。このため、テレビ会議用端末の名称を任意に変更したいユーザがいても、変更できない。
【０００５】
このように、従来のテレビ会議システムでは、テレビ会議用端末の名称を各端末のユーザごとに変更させる仕組みが提供されていないという問題があった。
【０００６】
本発明は、上記課題に鑑み、端末毎に、表示される会議の相手の情報を変更できる伝送端末を提供することを目的とする。
【課題を解決するための手段】
【０００７】
本発明は、ネットワークを介して他の伝送端末と通信可能に接続される伝送端末であって、前記他の伝送端末から当該伝送端末に接続された表示手段に表示するための表示用データを受信する受信手段と、前記受信手段が受信した表示用データを送信する前記他の伝送端末の拠点名を、当該伝送端末に予め関連付けられた１つ以上の名称から取得する拠点名取得手段と、前記受信手段が受信した表示用データに、前記拠点名取得手段が取得した拠点名を合成する拠点名合成手段と、前記拠点名合成手段が拠点名を合成した表示用データを前記表示手段に表示する画像表示制御手段と、を有することを特徴とする。
【発明の効果】
【０００８】
端末毎に、表示される会議の相手の情報を変更できる伝送端末を提供することができる。
【図面の簡単な説明】
【０００９】
【図１】本発明の一実施形態に係る伝送システムの全体構成を示す概略図である。
【図２】本実施形態に係る伝送システムを構成する伝送端末のハードウェア構成図の一例である。
【図３】本実施形態に係る伝送システムを構成する伝送管理システムのハードウェア構成図の一例である。
【図４】本実施形態の伝送システムを構成する伝送端末、中継装置及び伝送管理システムの機能ブロック図の一例である。
【図５】画像データの画質を説明するための図である。
【図６】変更品質管理テーブルの一例を示す図である。
【図７】中継装置管理テーブルの一例を示す図である。
【図８】端末認証管理テーブルの一例を示す図である。
【図９】端末管理テーブルの一例を示す図である。
【図１０】宛先リスト管理テーブルの一例を示す図である。
【図１１】セッション管理テーブルの一例を示す図である。
【図１２】品質管理テーブルの一例を示す図である。
【図１３】拠点名称管理テーブルの一例を示す図である。
【図１４】配置情報管理テーブルの一例を示す図である。
【図１５】会議画像管理テーブルの一例を示す図である。
【図１６】外部入力装置の機能ブロック図の一例である。
【図１７】各中継装置から伝送管理システムに送信された各中継装置の稼働状態を表す状態情報を管理する処理の一例を示すシーケンス図である。
【図１８】各伝送端末間で通信を開始する準備段階の処理の一例を示すシーケンス図である。
【図１９】伝送端末がセッションを確立する処理の一例を示すシーケンス図である。
【図２０】外部入力装置が表示した表示データを会議の相手である伝送端末に表示させる処理の一例を示すシーケンス図である。
【図２１】ディスプレイに表示される表示データの一例を示す図である。
【図２２】伝送システムの全体構成のうち、外部入力装置４０ａａ、４０ｄｂのディスプレイ２１６ａａ、２１６ｄｂ、ディスプレイ１２０ａａ、１２０ｄｂに表示される画面を説明する図の一例である。
【図２３】外部入力装置に表示されているデスクトップ画面の一例等を示す図である。
【図２４】表示画面の各レイアウトの一例を示す図である。
【図２５】配置情報管理テーブル更新部が配置情報管理テーブルを作成する手順を示すシーケンス図の一例である。
【図２６】拠点名の合成を模式的に説明する図の一例である。
【図２７】各端末のディスプレイに表示される表示画面の一例を示す図である。
【図２８】拠点名の更新処理を示すフローチャート図の一例である。
【図２９】配置情報管理テーブルの別の一例等を示す図である。
【図３０】伝送端末をカーナビゲーション装置に適用した場合のシステム構成の一例を示す図である。
【図３１】カーナビゲーション装置の構成の一例を示す図である。
【発明を実施するための形態】
【００１０】
以下、図面を参照して本発明の実施形態について説明する。しかしながら、本発明の技術的範囲が、本実施形態に限定されるものではない。
【００１１】
図１は、本発明の一実施形態に係る伝送システム１の全体構成を示す概略図である。以下、図１を参照して本実施形態を説明する。
【００１２】
一般に伝送システムには、伝送管理システムを介して一方の伝送端末から他方の伝送端末に一方向でコンテンツデータを通信するデータ提供システムや、伝送管理システムを介して複数の伝送端末間で情報や感情等を相互に伝達するコミュニケーションシステムが含まれる。このコミュニケーションシステムは、コミュニケーション管理システム（「伝送管理システム」に相当）を介して複数のコミュニケーション端末（「伝送端末」に相当）間で情報や感情等を相互に伝達するためのシステムであり、テレビまたはビデオ会議システム、テレビ電話システム、音声会議システム、音声電話システム、ＰＣ（Personal computer）画面共有システム等が例として挙げられる。
【００１３】
本実施形態では、コミュニケーションシステムの一例としてのテレビまたはビデオ会議システム、コミュニケーション管理システムの一例としてのテレビまたはビデオ会議管理システム、及びコミュニケーション端末の一例としてのテレビまたはビデオ会議端末を想定した上で、伝送システム、伝送管理システム、及び伝送端末について説明する。すなわち、本発明の伝送端末及び伝送管理システムは、テレビまたはビデオ会議システムに適用されるだけでなく、コミュニケーションシステム、または伝送システムにも適用される。
【００１４】
本実施形態の伝送システム１（図１参照）は、複数の伝送端末１０ａａ，１０ａｂ，１０ｂａ，１０ｂｂ，１０ｃａ，１０ｃｂ，１０ｄａ及び１０ｄｂと、各伝送端末用の複数のディスプレイ１２０ａａ，１２０ａｂ，１２０ｂａ，１２０ｂｂ，１２０ｃａ，１２０ｃｂ，１２０ｄａ及び１２０ｄｂと、各伝送端末にそれぞれ接続される複数のＰＣ等の外部入力装置４０ａａ，４０ａｂ，４０ｂａ，４０ｂｂ，４０ｃａ，４０ｃｂ，４０ｄａ及び４０ｄｂと、複数の中継装置３０ａ，３０ｂ，３０ｃ及び３０ｄと、伝送管理システム５０と、プログラム提供システム９０と、メンテナンスシステム１００とによって構築されている。
【００１５】
なお、以下の説明において特に明記しない限り、複数の伝送端末１０ａａ，……，１０ｄｂのうち任意の伝送端末を示すときは「伝送端末１０」と表記し、複数のディスプレイ１２０ａａ，……，１２０ｄｂのうち任意のディスプレイを示すときは「ディスプレイ１２０」と表記し、複数の外部入力装置４０ａａ，……，４０ｄｂのうち任意の外部入力装置を示すときは「外部入力装置４０」と表記し、複数の中継装置３０ａ，……，３０ｄのうち任意の中継装置を示すときは「中継装置３０」と表記する。また、ディスプレイ１２０は伝送端末１０の表示装置の一例である。なお、図１では伝送端末１０とディスプレイ１２０とが別体であるが、伝送端末１０とディスプレイ１２０とが一体でもよい（伝送端末１０がディスプレイ１２０を内蔵している。）。また、一体型の場合、伝送端末１０がプロジェクタとしての機能を備え映像を投影することでディスプレイ１２０と同等の機能を提供してもよい。
【００１６】
伝送端末１０は、他の伝送端末１０との間で、画像データ、音声データ等の送受信を行うようになっている。本実施形態では、画像データの画像が動画の場合について説明するが、動画だけでなく静止画であってもよい。また、画像データの画像に動画と静止画の両方が含まれていてもよい。
【００１７】
中継装置３０は、各伝送端末１０間で画像データ及び音声データの中継を行うためのものである。伝送管理システム５０は、複数の伝送端末１０及び複数の中継装置３０を一元的に管理するためのものである。
【００１８】
外部入力装置４０は、伝送端末１０と接続され、外部入力装置４０の表示装置（後述するディスプレイ２１６）に表示されている画像を表す表示データを伝送端末１０に送信するようになっている。この表示データと画像データの少なくとも一方は、特許請求の範囲の表示用データの一例である。
【００１９】
また、図１に示される複数のルータ７０ａ，７０ｂ，７０ｃ，７０ｄ，７０ｅ及び７０ｆは、画像データ及び音声データが送受信される最適な経路の選択を行うためのものである。以下の説明において特に明記しない限り、複数のルータ７０ａ，……，７０ｆのうち任意のルータを示すときは「ルータ７０」と表記する。また、プログラム提供システム９０は、ＨＤ(Hard Disk)（図示せず）を備えている。このＨＤには、伝送端末１０に各種機能または各種手段を実現させるための伝送端末用プログラム、中継装置３０に各種機能または各種手段を実現させるための中継装置用プログラム、及び、伝送管理システム５０に各種機能または各種手段を実現させるための伝送管理用プログラムが格納されている。プログラム提供システム９０は、ＨＤに格納されている伝送端末用プログラム、中継装置用プログラム及び伝送管理用プログラムを、それぞれ伝送端末１０、中継装置３０及び伝送管理システム５０に送信可能に構築されている。
【００２０】
また、伝送端末１０ａａ及び１０ａｂと中継装置３０ａとルータ７０ａとは、ＬＡＮ(Local Area Network)２ａによって通信可能に接続されており、伝送端末１０ｂａ及び伝送端末１０ｂｂと中継装置３０ｂとルータ７０ｂとは、ＬＡＮ２ｂによって通信可能に接続されている。ＬＡＮ２ａ及びＬＡＮ２ｂは、ルータ７０ｃが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。
【００２１】
一方、伝送端末１０ｃａ及び１０ｃｂと中継装置３０ｃとルータ７０ｄとは、ＬＡＮ２ｃによって通信可能に接続されており、伝送端末１０ｄａ及び１０ｄｂと中継装置３０ｄとルータ７０ｅとは、ＬＡＮ２ｄによって通信可能に接続されている。ＬＡＮ２ｃ及びＬＡＮ２ｄは、ルータ７０ｆが含まれた専用線２ｃｄによって通信可能に接続されており、所定の地域Ｂ内で構築されている。例えば、地域Ｂはアメリカであり、ＬＡＮ２ｃ
はニューヨークの事業所内で構築されており、ＬＡＮ２ｄはワシントンＤ．Ｃ．の事業所内で構築されている。地域Ａと地域Ｂは、それぞれルータ７０ｃ，７０ｆからインターネット２ｉを介して通信可能に接続されている。
【００２２】
また、伝送管理システム５０、プログラム提供システム９０及びメンテナンスシステム１００は、インターネット２ｉを介して伝送端末１０及び中継装置３０と通信可能に接続されている。伝送管理システム５０、プログラム提供システム９０及びメンテナンスシステム１００は、地域Ａまたは地域Ｂに設置されていてもよいし、これら以外の地域に設置されていてもよい。
【００２３】
本実施形態では、ＬＡＮ２ａ、ＬＡＮ２ｂ、専用線２ａｂ、インターネット２ｉ、専用線２ｃｄ、ＬＡＮ２ｃ及びＬＡＮ２ｄによって通信ネットワーク２が構築されている。
【００２４】
また、図１において、各伝送端末１０、各中継装置３０、伝送管理システム５０、各ルータ７０、プログラム提供システム９０及びメンテナンスシステム１００の下に表記されている４組の数字（かっこ付き）は、一般的なＩＰｖ４ (Internet Protocol version 4) におけるＩＰアドレスを簡易的に示している。例えば、伝送端末１０ａａのＩＰアドレスは「１．２．１．３」である。また、ＩＰｖ４ではなくＩＰｖ６を用いてもよいが、説明を簡略化するため、ＩＰｖ４を用いて説明する。
【００２５】
＜＜実施形態のハードウェア構成＞＞
次に、本実施形態のハードウェア構成を説明する。
【００２６】
図２は、本実施形態に係る伝送システム１を構成する伝送端末１０のハードウェア構成図である。図２に示されるように、伝送端末１０は、伝送端末１０全体の動作を制御するＣＰＵ(Central Processing Unit)１０１と、伝送端末用プログラムを記憶したＲＯＭ(Read Only Memory)１０２と、ＣＰＵ１０１のワークエリアとして使用されるＲＡＭ(Random Access Memory)１０３と、画像データや音声データ等の各種データを記憶するフラッシュメモリ１０４と、ＣＰＵ１０１の制御に従ってフラッシュメモリ１０４に対する各種データの読み出し及び書き込みを制御するＳＳＤ (Solid State Drive)１０５と、フラッシュメモリ等の記録メディア１０６に対するデータの読み出しまたは書き込み（記憶）を制御するメディアドライブ１０７と、伝送端末１０の宛先を選択する場合などに操作される操作ボタン１０８と、伝送端末１０の電源のＯＮ／ＯＦＦを切り換えるための電源スイッチ１０９と、後述の通信ネットワーク２を利用してデータ伝送をするためのネットワークＩ／Ｆ１１１と、ＣＰＵ１０１の制御に従って被写体を撮像し画像データを得るカメラ１１２と、このカメラ１１２の駆動を制御する撮像素子Ｉ／Ｆ１１３と、音声を入力するマイク１１４と、音声を出力するスピーカ１１５と、ＣＰＵ１０１の制御に従ってマイク１１４及びスピーカ１１５との間で音声信号の入出力を処理する音声入出力Ｉ／Ｆ１１６と、ＣＰＵ１０１の制御に従って外付けのディスプレイ１２０に画像データを伝送するディスプレイＩ／Ｆ１１７と、外部の装置との間で各種データを送受信する外部装置Ｉ／Ｆ１１８と、伝送端末１０の各種機能の異常を知らせるアラームランプ１１９と、上記各構成要素を相互に電気的に接続するためのアドレスバスやデータバス等のバスライン１１０を備えている。
【００２７】
なお、記録メディア１０６は、伝送端末１０に対して着脱自在な構成となっている。また、ＣＰＵ１０１の制御に従ってデータの読み出しまたは書き込みを行う不揮発性メモリであれば、フラッシュメモリ１０４に限らず、ＥＥＰＲＯＭ（Electrically Erasable and Programmable ROM）等を用いてもよい。また、カメラ１１２は、光を電荷に変換して被写体の画像（映像）を電子化する固体撮像素子、例えば、ＣＣＤ(Charge Coupled Device) 素子、ＣＭＯＳ（Complementary Metal Oxide Semiconductor）素子等を備えている。また、ＳＳＤ１０５以外にＨＤＤ（Hard Disk Drive)を用いてもよい。
【００２８】
また、ディスプレイ１２０は、被写体の画像や操作用アイコン等を表示する液晶素子や有機ＥＬ素子等を用いて構成されている。
【００２９】
また、上記伝送端末用プログラムは、インストール可能な形式または実行可能な形式のファイルで、上記記録メディア１０６等のコンピュータで読み取り可能な記録媒体に記録して流通させるようにしてもよい。
【００３０】
なお、カメラ１１２、マイク１１４、スピーカ１１５は必ずしも内蔵型の必要はなく、外付けにしてもよい。また、伝送端末１０は、専用の装置として提供されてもよいし、ＰＣ、スマートフォン、タブレット、及び、ＰＤＡ（Personal  Data  Assistant）などでもよい。
【００３１】
図３は、本実施形態に係る伝送システム１を構成する伝送管理システム５０のハードウェア構成図である。伝送管理システム５０は、伝送管理システム５０全体の動作を制御するＣＰＵ２０１と、伝送管理用プログラムを記憶したＲＯＭ２０２と、ＣＰＵ２０１のワークエリアとして使用されるＲＡＭ２０３と、各種データを記憶するＨＤ(Hard Disk)２０４と、ＣＰＵ２０１の制御に従ってＨＤ２０４に対する各種データの読み出し及び書き込みを制御するＨＤＤ２０５と、フラッシュメモリ等の記録メディア２０６に対するデータの読み出し及び書き込み（記憶）を制御するメディアドライブ２０７と、カーソル、メニュー、ウィンドウ、文字、画像等の各種情報をディスプレイ２１６に表示させるためのディスプレイＩ／Ｆ２０８と、後述の通信ネットワーク２を利用してデータ伝送をするためのネットワークＩ／Ｆ２０９と、文字、数値、各種指示等を入力するための複数のキーを備えたキーボード２１１と、各種指示の選択や実行、処理対象の選択、カーソルの移動等を行うマウス２１２と、着脱可能な記録媒体の一例としてのＣＤ−ＲＯＭ(Compact Disc Read Only Memory)２１３に対するデータの読み出し及び書き込みを制御するＣＤ−ＲＯＭドライブ２１４と、外部の装置との間で情報を送受信するための外部装置Ｉ／Ｆ２１５と、上記各構成要素間を相互に電気的に接続するためのアドレスバスやデータバス等のバスライン２１０とを備えている。なお、ディスプレイ２１６は、外部入力装置４０の表示装置の一例でもある。
【００３２】
また、上記伝送管理用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。上記伝送管理用プログラムはＨＤ２０４に記憶されていてもよい。
【００３３】
また、外部入力装置４０は、伝送管理システム５０と同様のハードウェア構成を有しているため、その説明を省略する。但し、ＲＯＭ２０２には、外部入力装置４０を制御するための外部入力装置用プログラムが格納されている。この場合も、外部入力装置用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。
【００３４】
また、中継装置３０は、伝送管理システム５０と同様のハードウェア構成を有しているため、その説明を省略する。但し、ＲＯＭ２０２には、中継装置３０を制御するための中継装置用プログラムが格納されている。この場合も、中継装置用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。
【００３５】
また、プログラム提供システム９０は、伝送管理システム５０と同様のハードウェア構成を有しているため、その説明を省略する。但し、ＲＯＭ２０２には、プログラム提供システム９０を制御するためのプログラム提供システム用プログラムが格納されている。この場合も、プログラム提供システム用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。なお、プログラム提供システム用プログラムは、ＲＯＭ２０２ではなくＨＤ２０４に格納されるようにしてもよい。
【００３６】
また、メンテナンスシステム１００は、伝送管理システム５０と同様のハードウェア構成を有しているため、その説明を省略する。このメンテナンスシステム１００は、伝送端末１０、中継装置３０、伝送管理システム５０及びプログラム提供システム９０のうちの少なくとも１つの維持、管理または保守を行うためのコンピュータである。例えば、メンテナンスシステム１００が国内に設置され、伝送端末１０、中継装置３０、伝送管理システム５０またはプログラム提供システム９０が国外に設置されている場合、メンテナンスシステム１００は、通信ネットワーク２を介して遠隔的に、伝送端末１０、中継装置３０、伝送管理システム５０及びプログラム提供システム９０のうちの少なくとも１つの維持、管理、保守等のメンテナンスを行うようになっている。
【００３７】
また、メンテナンスシステム１００は、通信ネットワーク２を介さずに、伝送端末１０、中継装置３０、伝送管理システム５０及びプログラム提供システム９０のうちの少なくとも１つにおける機種番号、製造番号、販売先、保守点検または故障履歴の管理等のメンテナンスを行うようにしてもよい。
【００３８】
なお、上記の着脱可能な記録媒体の他の形態としては、ＣＤ−Ｒ(Compact Disc Recordable)、ＤＶＤ(Digital Versatile Disk)、ブルーレイディスク等のコンピュータで読み取り可能な記録媒体に格納して提供するように構成してもよい。
【００３９】
＜＜実施形態の機能構成＞＞
次に、本実施形態の機能構成について、図４〜図１６を参照しながら説明する。図４は、本実施形態の伝送システム１を構成する伝送端末１０、中継装置３０及び伝送管理システム５０の機能ブロック図である。図４に示す例では、伝送端末１０と、中継装置３０と、伝送管理システム５０とが、通信ネットワーク２を介してデータ通信することができるように接続されている。また、外部入力装置４０は、伝送端末１０との間でデータを送受信することができるように接続されている。なお、図１に示されるプログラム提供システム９０及びメンテナンスシステム１００は、テレビ会議の通信と直接関係がないため、図４では図示を省略している。
【００４０】
なお、図５は、画像データの画質を説明するための図である。また、図６は変更品質管理テーブルの一例、図７は中継装置管理テーブルの一例、図８は端末認証管理テーブルの一例、図９は端末管理テーブルの一例、図１０は宛先リスト管理テーブルの一例、図１１はセッション管理テーブルの一例、図１２は品質管理テーブルの一例、をそれぞれ示す図である。また、図１３は拠点名称管理テーブルの一例、図１４は配置情報管理テーブルの一例、図１５は会議画像管理テーブルの一例、を示す図である。図１６は外部入力装置４０の機能ブロック図の一例である。
【００４１】
＜伝送端末の機能構成＞
図４に示されるように、伝送端末１０は、送受信部１１と、操作入力受付部１２と、ログイン要求部１３と、撮像部１４ａと、画像表示制御部１４ｂと、表示画像取得部１４ｃと、音声入力部１５ａと、音声出力部１５ｂと、表示画像決定部１７と、拠点名称取得部２１と、配置情報管理テーブル更新部２２と、拠点名称合成部２３と、外部情報送受信部１８と、記憶・読出処理部１９と、を有している。これら各機能部は、図２に示される各構成要素のいずれかが、ＲＯＭ１０２に格納されているプログラムに従ったＣＰＵ１０１からの命令により動作することで実現される機能または手段である。また、伝送端末１０は、図２に示されるＳＳＤ１０５によって構築される記憶部１０００を有している。
【００４２】
《配置情報管理テーブル》
記憶部１０００には、図１４に示されるような配置情報管理テーブル１４５２が記憶される。配置情報管理テーブル（特許請求の範囲の「領域管理テーブル」の一例である）は、各伝送端末のディスプレイ１２０の各領域と送信データＩＤを対応づけるテーブルである。送信データＩＤは特許請求の範囲の「データ識別情報」の一例である。「領域」フィールドには領域の識別情報、「送信データＩＤ」フィールドには画像データ又は表示データの種別を含む中継装置が送信するデータの識別情報、「端末ＩＤ」フィールドには画像データ又は表示データを送信する伝送端末の端末ＩＤ（特許請求の範囲の端末識別情報の一例である）、がそれぞれ登録される。「拠点名」フィールドには、拠点名称管理テーブルの端末ＩＤに対応づけられた拠点名が登録される。
【００４３】
配置情報管理テーブルは、会議が始まる際に作成され、以後、表示画面のレイアウトが変更されると（領域に割り当てられる画像データ又は表示データが変更されたり、後から会議に参加する伝送端末や会議からログオフする伝送端末が生じると）更新される。
【００４４】
＜伝送端末の各機能部＞
次に、伝送端末１０の各機能部について詳細に説明する。伝送端末１０の送受信部１１は、図２に示されるネットワークＩ／Ｆ１１１によって実現され、通信ネットワーク２を介して他の伝送端末１０、中継装置３０及び伝送管理システム５０と各種データの送受信を行う。操作入力受付部１２は、図２に示される操作ボタン１０８及び電源スイッチ１０９によって実現され、ユーザによる各種入力を受け付ける。例えば、ユーザが、伝送端末１０の本体の電源スイッチをＯＮにすると、操作入力受付部１２（図４）が電源ＯＮを受け付けて、電源をＯＮにする。
【００４５】
ログイン要求部１３は、図２に示されるＣＰＵ１０１からの命令によって実現され、上記電源ＯＮの受け付けを契機として、送受信部１１から通信ネットワーク２を介して伝送管理システム５０に、ログインを要求する旨を示すログイン要求情報、及び伝送端末１０の現時点のＩＰアドレスを自動的に送信する。
【００４６】
撮像部１４ａは、図２に示されるカメラ１１２及び撮像素子Ｉ／Ｆ１１３によって実現され、被写体を撮像した画像を表す画像データを生成する。画像表示制御部１４ｂは、図２に示されるディスプレイＩ／Ｆ１１７によって実現され、画像データをレンダリングし、画像データが表す画像をディスプレイ１２０に表示させるための制御を行う。表示画像取得部１４ｃは、ディスプレイ１２０に表示されている画像を表す画像データを取得する。本実施形態ではカメラ１１２で撮像した画像を表すデータを「画像データ」という。また、後で詳細に説明する外部入力装置４０のディスプレイ２１６に表示されている画像を表すデータを「表示データ」という。なお、画像データ及び表示データは、例えばＪＰＥＧ(Joint Photographic Experts Group)、Ｂｉｔｍａｐ、ＧＤＩ(Graphics Device Interface)等の形式のデータである。
【００４７】
音声入力部１５ａは、図２に示されるマイク１１４及び音声入出力Ｉ／Ｆ１１６によって実現され、ユーザの音声を入力し、この音声を音声信号に変換することで、音声信号に係る音声データを出力する。音声出力部１５ｂは、図２に示されるスピーカ１１５及び音声入出力Ｉ／Ｆ１１６によって実現され、音声データに係る音声信号を音声に変換して出力する。
【００４８】
また、外部情報送受信部１８は、図２に示される外部装置Ｉ／Ｆ１１８を介して外部入力装置４０との間でデータを送受信する。
【００４９】
また、記憶・読出処理部１９は、図２に示されるＳＳＤ１０５によって実行され、記憶部１０００に各種データを記憶したり、記憶部１０００に記憶された各種データを読み出したりする処理を行う。
【００５０】
表示画像決定部１７は、ディスプレイ１２０に表示される画像データを決定する。また、画面が複数の領域に分割されている場合、領域毎にどの伝送端末の画像データを表示するかを決定する。
【００５１】
拠点名称取得部２１は、伝送管理システムから拠点名称管理テーブルの全体又は一部を取得する。拠点名称管理テーブルは、ユーザが予め伝送管理システムに登録しておく。
【００５２】
配置情報管理テーブル更新部２２は、伝送端末１０の起動後から会議の開始までに配置情報管理テーブルを作成し、レイアウトが変更され配置情報管理テーブルを更新する必要が生じると、配置情報管理テーブルを更新する。
【００５３】
拠点名称合成部２３は、領域に表示される各画像データに配置情報管理テーブルから読み出した拠点名を合成する。
【００５４】
記憶部１０００には、不図示であるが、伝送端末１０を識別するための端末ＩＤ(Identification)、パスワード、画像データ・音声データ・各種データを送信する中継装置３０を識別する中継装置ＩＤ、及び、宛先端末のＩＰアドレス等が記憶される。また、記憶部１０００には、外部入力装置用プログラム１４５１と配置情報管理テーブル１４５２が格納されている。
【００５５】
外部入力装置用プログラム１４５１が外部入力装置４０に送信され、外部入力装置４０にインストールされることによって、外部入力装置４０は、後述する各機能を備えることになる。詳細については図１６の＜外部入力装置の各機能部＞にて説明する。
【００５６】
また、本実施形態における端末ＩＤ及び後述の中継装置ＩＤは、それぞれ伝送端末１０及び中継装置３０を一意に識別するために使われる言語、文字、記号または各種のしるし等の識別情報を示す。また、端末ＩＤ及び中継装置ＩＤは、上記言語、文字、記号及び各種のしるしのうち少なくとも２つが組み合わされた識別情報であってもよい。また、以下の記載では、テレビ会議の開始を要求する要求元としての伝送端末１０を「要求元端末」とし、要求先である宛先としての伝送端末１０を「宛先端末」として説明する。
【００５７】
＜中継装置の機能構成＞
次に、中継装置３０の機能（または手段）について説明する。中継装置３０は、図４に示されるように送受信部３１と、状態検知部３２と、データ品質確認部３３と、変更品質管理部３４と、データ品質変更部３５と、記憶・読出処理部３９とを有している。これら各機能部は、図４に示される各構成要素のいずれかが、ＲＯＭ２０２に記憶されているプログラムに従ったＣＰＵ２０１からの命令によって動作することで実現される機能または手段である。また、中継装置３０は、図３に示されるＲＯＭ２０２、ＲＡＭ２０３またはＨＤＤ２０５のいずれかにより構築される記憶部３０００を有している。
【００５８】
《変更品質管理テーブル》
記憶部３０００には、図６に示されるような変更品質管理テーブルによって構成される変更品質管理ＤＢ３００１が構築されている。変更品質管理テーブルでは、画像データの中継先としての伝送端末１０のＩＰアドレス、及びこの中継先に中継装置３０が中継する画像データの画質が関連付けられて管理される。
【００５９】
ここで、本実施形態の伝送システム１で扱われる画像データの画像の解像度について説明する。図５を参照すると、（ａ）に示されるように横方向が１６０画素、縦方向が１２０画素からなり、ベース画像となる低解像度の画像と、（ｂ）に示されるように横方向が３２０画素、縦方向が２４０画素からなる中解像度の画像と、（ｃ）に示されるように横方向が６４０画素、縦方向が４８０画素からなる高解像度の画像とがある。このうち、狭帯域経路を経由する場合には、ベース画像となる低解像度の画像データのみからなる低画質の画像データが中継される。帯域が比較的広い場合には、ベース画像となる低解像度の画像データと中解像度の画像データとからなる中画質の画像データが中継される。また、帯域が非常に広い場合には、ベース画像となる低解像度の画像データと中解像度の画像データと高解像度の画像データとからなる高画質の画像データが中継される。図６に示される変更品質管理テーブルにおいて、例えば、中継装置３０がＩＰアドレス「１．３．２．４」の宛先端末１０ｄｂ（図１参照）に対して画像データを中継する場合には、この中継される画像データの画質（画像の品質）は「高品質」である。
【００６０】
《会議画像管理テーブル》
記憶部３０００には、図１５に示されるような会議画像管理テーブルにより構成される会議画像管理ＤＢ３００２が構築されている。図１５を参照すると、会議画像管理テーブルには、端末ＩＤと送信データＩＤとが対応づけて登録されている。会議画像管理テーブルは、各会議において、各伝送端末がどの画像データ又は表示データを送信しているかが登録される。会議画像管理テーブルにより、例えば、伝送端末０１ａａは画像データ１，伝送端末０１ｄｂは表示データ４などのように、中継装置が各伝送端末に配信するデータが識別される。
【００６１】
各伝送端末１０は、インターネットではＩＰアドレスを自拠点の識別情報として画像データ又は表示データを送信するので、端末ＩＤは含まれない。また、中継装置は画像データ又は表示データに送信データＩＤを付与して各伝送端末に配信している。このため、会議画像管理テーブルにより端末ＩＤと送信データＩＤとを紐付け、画像データ又は表示データと拠点名との対応付けを可能にしている。
【００６２】
＜中継装置の各機能部＞
次に、中継装置３０の各機能部について詳細に説明する。なお、以下の記載では、中継装置３０の各機能部を説明するにあたって、図３に示される各構成要素のうち中継装置３０の各機能部を実現させるための主な構成要素との関係についても説明する。
【００６３】
中継装置３０の送受信部３１（図４参照）は、図３に示されるネットワークＩ／Ｆ２０９によって実現され、通信ネットワーク２を介して他の伝送端末１０、中継装置３０及び伝送管理システム５０との間で各種データの送受信を行う。状態検知部３２は、図３に示されるＣＰＵ２０１からの命令によって実現され、この状態検知部３２を有する中継装置３０の稼働状態を検知する。稼働状態としては、「ＯＮライン」、「ＯＦＦライン」「通話中」または「故障中」の状態がある。
【００６４】
データ品質確認部３３は、図３に示されるＣＰＵ２０１からの命令によって実現され、宛先端末１０のＩＰアドレスを検索キーとして、変更品質管理テーブル（図６参照）を検索し、当該ＩＰアドレスに対応した中継される画像データの画質を抽出することで、中継される画像データの画質を確認する。変更品質管理部３４は、図３に示されるＣＰＵ２０１からの命令によって実現され、伝送管理システム５０から送信される、後述の品質情報に基づいて、変更品質管理ＤＢ３００１の内容を変更する。例えば、端末ＩＤが「０１ａａ」である要求元端末１０ａａと、端末ＩＤが「０１ｄｂ」である宛先端末１０ｄｂとの間で高画質の画像データを送受信することによってテレビ会議を行っている最中に、他のテレビ会議を行う要求元端末ｂｂと宛先端末ｃａが通信ネットワーク２を介してテレビ会議を開始することによって、宛先端末１０ｄｂで画像データの受信の遅延が生じた場合には、中継装置３０は今まで中継していた画像データの画質を、高画質から中画質に下げる必要がある。このような場合に、中画質を示す品質情報に基づいて、中継装置３０が中継する画像データの画質を高画質から中画質に下げるように、変更品質管理ＤＢ３００１の内容が変更される。
【００６５】
データ品質変更部３５は、図３に示されるＣＰＵ２０１からの命令によって実現され、要求元端末１０から送られてきた画像データの画質を、上記変更された変更品質管理ＤＢ３００１の内容に基づいて変更する。記憶・読出処理部３９は、図３に示されるＨＤＤ２０５によって実現され、記憶部３０００に各種データを記憶したり、記憶部３０００に記憶された各種データを読み出したりする処理を行う。
【００６６】
＜伝送管理システムの機能構成＞
次に、伝送管理システム５０の機能（または手段）について説明する。伝送管理システム５０は、図４に示されるように送受信部５１と、端末認証部５２と、状態管理部５３と、端末抽出部５４と、端末状態取得部５５と、セッション管理部５７と、品質決定部５８と、記憶・読出処理部５９と、遅延時間管理部６０とを有している。これら各機能部は、図３に示される各構成要素のいずれかが、ＲＯＭ２０２に記憶されているプログラムに従ったＣＰＵ２０１からの命令によって動作することで実現される機能または手段である。また、伝送管理システム５０は、図３に示されるＲＯＭ２０２、ＲＡＭ２０３またはＨＤＤ２０５によって構築される記憶部５０００を有している。
【００６７】
《中継装置管理テーブル》
記憶部５０００には、図７に示されるような中継装置管理テーブルによって構成される中継装置管理ＤＢ５００１が構築されている。この中継装置管理テーブルでは、各中継装置３０の中継装置ＩＤ毎に、各中継装置３０の稼働状態、稼働状態が示される状態情報が伝送管理システム５０で受信された受信日時、中継装置３０のＩＰアドレス及び中継装置３０における最大データ伝送速度（Ｍｂｐｓ）が関連付けられて管理される。例えば、図７に示される中継装置管理テーブルにおいて、中継装置ＩＤが「１１１ａ」の中継装置３０ａ（図１参照）は、稼働状態が「ＯＮライン」であり、伝送管理システム５０で状態情報が受信された日時が「２００９年１１月１０日の１３時００分」であり、この中継装置３０ａのＩＰアドレスが「１．２．１．２」であり、この中継装置３０ａにおける最大データ伝送速度が１００Ｍｂｐｓであることが示されている。
【００６８】
《端末認証管理テーブル》
また、記憶部５０００には、図８に示されるような端末認証管理テーブルによって構成される端末認証管理ＤＢ５００２が構築されている。この端末認証管理テーブルでは、伝送管理システム５０によって管理される全ての伝送端末１０の各端末ＩＤに対して、各パスワードが関連付けられて管理される。例えば、図８に示される端末認証管理テーブルにおいて、伝送端末１０ａａ（図１参照）の端末ＩＤは「０１ａａ」で、パスワードは「ａａａａ」であることが示されている。
【００６９】
《端末管理テーブル》
また、記憶部５０００には、図９に示されるような端末管理テーブルによって構成される端末管理ＤＢ５００３が構築されている。この端末管理テーブルでは、各伝送端末１０の端末ＩＤ毎に、各伝送端末１０の稼働状態、後述のログイン要求情報が伝送管理システム５０で受信された受信日時及び伝送端末１０のＩＰアドレスが関連付けられて管理される。例えば、図９に示される端末管理テーブルにおいて、端末ＩＤが「０１ａａ」の伝送端末１０ａａ（図１参照）は、稼働状態が「ＯＮライン」であり、伝送管理システム５０でログイン要求情報が受信された日時が「２００９年１１月１０日の１３時４０分」であり、この伝送端末１０ａａのＩＰアドレスが「１．２．１．３」であることが示されている。
【００７０】
《宛先リスト管理テーブル》
また、記憶部５０００には、図１０に示されるような宛先リスト管理テーブルによって構成される宛先リスト管理ＤＢ５００４が構築されている。この宛先リスト管理テーブルでは、テレビ会議の開始を要求する要求元端末１０の端末ＩＤに対して、宛先端末１０の候補として登録されている宛先端末１０の端末ＩＤが全て関連付けられて管理される。例えば、図１０に示される宛先リスト管理テーブルにおいて、端末ＩＤが「０１ａａ」である要求元端末１０ａａ（図１参照）からテレビ会議の開始を要求することができる宛先端末１０の候補は、端末ＩＤが「０１ａｂ」の伝送端末１０ａｂ、端末ＩＤが「０１ｂａ」の伝送端末１０ｂａ、及び端末ＩＤが「０１ｄｂ」の伝送端末１０ｄｂの３つであることが示されている。この宛先端末１０の候補は、要求元端末１０から伝送管理システム５０に対する追加または削除の要請により、追加または削除されることで更新される。
【００７１】
《セッション管理テーブル》
また、記憶部５０００には、図１１に示されるようなセッション管理テーブルによって構成されるセッション管理ＤＢ５００５が構築されている。このセッション管理テーブルでは、中継装置３０を選択するためのセッションの実行に用いられる選択用セッションＩＤ毎に、中継装置３０の中継装置ＩＤ、要求元端末１０の端末ＩＤ、宛先端末１０の端末ＩＤ、遅延時間（ｍｓ）、及び受信日時が関連付けられて管理される。ここで、遅延時間（ｍｓ）とは、宛先端末１０において画像データが受信される際の受信の遅延時間であり、受信日時とは、この遅延時間が示される遅延情報を宛先端末１０から送信されて伝送管理システム５０で受信された日時である。
【００７２】
例えば、図１１に示されるセッション管理テーブルにおいて、選択用セッションＩＤ「ｓｅ１」を用いて実行されたセッションで選択された中継装置３０ａ（中継装置ＩＤ「１１１ａ」）は、端末ＩＤが「０１ａａ」の要求元端末１０ａａ（図１参照）と、端末ＩＤが「０１ｄｂ」の宛先端末１０ｄｂとの間で、画像データ及び音声データを中継していることが示されている。また、宛先端末１０ｄｂにおいて「２００９年１１月１０日の１４時００分」時点における画像データの遅延時間が２００（ｍｓ）であることが示されている。
【００７３】
なお、２つの伝送端末１０の間でテレビ会議を行う場合には、上記宛先端末１０ではなく要求元端末１０から送信されてきた遅延情報に基づいて、遅延情報の受信日時を管理してもよい。但し、３つ以上の伝送端末１０の間でテレビ会議を行う場合には、画像データ及び音声データの受信側の伝送端末１０から送信されてきた遅延情報に基づいて、遅延情報の受信日時を管理する。
【００７４】
《品質管理テーブル》
また、記憶部５０００には、図１２に示されるような品質管理テーブルによって構成される品質管理ＤＢ５００７が構築されている。この品質管理テーブルでは、要求元端末１０または宛先端末１０における画像データの遅延時間（ｍｓ）に応じて、中継装置３０で中継させる画像データの画質（画像の品質）が関連付けられて管理される。
【００７５】
《拠点名称管理テーブル》
また、記憶部５０００には、図１３に示されるような拠点名称管理テーブルによって構成される拠点名称管理ＤＢ５００８が構築されている。拠点名称管理テーブルは、特許請求の範囲の拠点名称データベースの一例である。図１３を参照すると、拠点名称管理テーブルは各端末ＩＤに拠点名が対応づけられている。拠点名称管理テーブルは、各伝送端末１０から端末ＩＤと共に伝送管理システムに送信され、拠点名称管理ＤＢには送信元の伝送端末１０の端末ＩＤに対応づけて拠点名称管理テーブルが管理される。拠点名称管理テーブルは、システム管理者が操作するＰＣなどから拠点名称管理ＤＢ５００８に登録されてもよい。
【００７６】
拠点名称管理テーブルには、各伝送端末の宛先リスト管理テーブルに登録されている端末ＩＤに対して、各伝送端末の拠点名称が関連付けられて管理される。宛先リスト管理テーブルは伝送管理システムに登録されており、また、更新される可能性があるので、拠点名称管理テーブルも伝送管理システムが有することが好ましい。
【００７７】
しかし、必ずしも宛先リスト管理テーブルに登録されている端末ＩＤだけでなく、任意の端末ＩＤに拠点名称が関連付けられてもよい。この場合、伝送端末が拠点名称管理テーブルを有していてもよい。
【００７８】
拠点名称は、ユーザが自由に名付け設定することができる。例えば、ユーザは伝送端末の操作ボタン１０８を操作して各端末ＩＤに対応づけて拠点名を入力する。ユーザにとって伝送端末がどの拠点に配置されているかは（端末ＩＤがどの拠点に対応するか）既知である。
【００７９】
拠点名称管理テーブルは伝送端末ごとに構築される伝送端末に専用のテーブルである。したがって、同じ端末ＩＤでも送信元の伝送端末によって登録している拠点名称は異なり得る（同じ場合もある）。例えば、送信元の端末ＩＤ＝０８ａａの伝送端末では、端末ＩＤ＝０１ａａの拠点名として「銀座」という名称が付与されているが、送信元の端末ＩＤ＝０９ａａの伝送端末では、端末ＩＤ＝０１ａａの拠点名として「銀座本社」という名称が付与されている。一方、１つの拠点名称管理テーブルが複数の伝送端末により共通に参照されてもよい。
【００８０】
なお、図１３では、自拠点の端末ＩＤと拠点名が登録されていないが、自拠点の端末ＩＤと拠点名を登録するか否かはユーザが選択できる。自拠点の拠点名を登録しなかった場合は、伝送端末は例えば「自拠点」と表示してもよいし、何も表示しなくてもよい。
【００８１】
＜伝送管理システムの各機能部＞
次に、伝送管理システム５０の各機能部について詳細に説明する。なお、以下の記載では、伝送管理システム５０の各機能部を説明するにあたって、図３に示される各構成要素のうち、伝送管理システム５０の各機能部を実現させるための主な構成要素との関係についても説明する。
【００８２】
まず、送受信部５１（図４参照）は、図３に示されるネットワークＩ／Ｆ２０９によって実行され、通信ネットワーク２を介して伝送端末１０、中継装置３０または他のシステム（プログラム提供システム９０と、メンテナンスシステム１００）との間で各種データの送受信を行う。端末認証部５２は、送受信部５１を介して受信されたログイン要求情報に含まれている端末ＩＤ及びパスワードを検索キーとし、記憶部５０００の端末認証管理ＤＢ５００２を検索し、端末認証管理ＤＢ５００２に同一の端末ＩＤ及びパスワードが管理されているかを判断することによって端末認証を行う。状態管理部５３は、ログイン要求してきた要求元端末１０の稼働状態を管理すべく、端末管理テーブル（図９）に、この要求元端末１０の端末ＩＤ、要求元端末１０の稼働状態、伝送管理システム５０でログイン要求情報が受信された受信日時、及び要求元端末１０のＩＰアドレスを関連付けて記憶して管理する。
【００８３】
端末抽出部５４は、ログイン要求した要求元端末１０の端末ＩＤをキーとして、宛先リスト管理テーブル（図１０）を検索し、要求元端末１０と通信することができる宛先端末１０の候補の端末ＩＤを読み出すことで、端末ＩＤを抽出する。また、端末抽出部５４は、ログイン要求してきた要求元端末１０の端末ＩＤをキーとして、宛先リスト管理テーブル（図１０）を検索し、上記要求元端末１０の端末ＩＤを宛先端末１０の候補として登録している他の要求元端末１０の端末ＩＤも抽出する。
【００８４】
端末状態取得部５５は、端末抽出部５４によって抽出された宛先端末１０の候補の端末ＩＤを検索キーとして、端末管理テーブル（図９）を検索し、端末抽出部５４によって抽出された端末ＩＤ毎に稼働状態を読み出す。これにより、端末状態取得部５５は、ログイン要求してきた要求元端末１０と通信することができる宛先端末１０の候補の稼働状態を取得することができる。また、端末状態取得部５５は、端末抽出部５４によって抽出された端末ＩＤを検索キーとして、端末管理テーブル（図９）を検索し、ログイン要求してきた要求元端末１０の稼働状態も取得する。
【００８５】
セッション管理部５７は、記憶部５０００のセッション管理ＤＢ５００５（図１１のセッション管理テーブル）に、生成された選択用セッションＩＤ、要求元端末の端末ＩＤ及び宛先端末の端末ＩＤを関連付けて記憶して管理する。また、セッション管理部５７は、セッション管理テーブル（図１１）に中継装置３０の中継装置ＩＤを記憶して管理する。
【００８６】
品質決定部５８は、上記遅延時間を検索キーとして、品質管理テーブル（図１２）を検索し、対応する画像データの画質を抽出することで、中継装置３０に中継させる画像データの画質を決定する。記憶・読出処理部５９は、図３に示されるＨＤＤ２０５によって実行され、記憶部５０００に各種データを記憶したり、記憶部５０００に記憶された各種データを読み出したりする処理を行う。遅延時間管理部６０は、上記宛先端末１０のＩＰアドレスを検索キーとして、端末管理テーブル（図９）を検索することで、対応する端末ＩＤを抽出し、さらにセッション管理テーブル（図１１）において、上記抽出した端末ＩＤが含まれるレコードにおける遅延時間のフィールド部分に、上記遅延情報で示される遅延時間を記憶して管理する。
【００８７】
＜外部入力装置の機能構成＞
図１６は、外部入力装置の機能ブロック図の一例を示す。外部入力装置４０は、図１３に示されるように送受信部４１と、接続検出部４２と、インストール判定部４３ａと、プログラム取得部４３ｂと、表示データ取得部４５１と、表示データ送信部４５２と、操作入力受付部４６と、表示制御部４７と、マウント部４８と、記憶・読出処理部４９とを有している。これら各機能部は、図３に示される各構成要素のいずれかが、ＲＯＭ２０２に記憶されているプログラムに従ったＣＰＵ２０１からの命令によって動作することで実現される機能または手段である。また、表示データ取得部４５１、及び、表示データ送信部４５２は、伝送端末１０の記憶部１０００（図４参照）に記憶されている外部入力装置用プログラム１４５１をダウンロードして、これら各プログラムをインストールすることによって実現される。さらに、外部入力装置４０は、図３に示されるＲＯＭ２０２、ＲＡＭ２０３またはＨＤＤ２０５によって構築される記憶部４０００を有している。また、特に図示はしていないが、外部入力装置４０は、Ｗｉｎｄｏｗｓ（登録商標）や"Mac（登録商標） OS "、"Mac（登録商標） OS X Lion"、"Mac（登録商標） OS X""OS  X"等のＯＳ(Operating System)を搭載し、これにより、他の装置と接続した際にはプログラムを実行する機能を備えている。
【００８８】
＜外部入力装置の各機能部＞
次に、外部入力装置４０の各機能部について詳細に説明する。まず、送受信部４１（図１３参照）は、図３に示されるネットワークＩ／Ｆ２０９によって実現され、伝送端末１０との間で各種データ（情報）の送受信を行う。接続検出部４２は、図３に示される外部装置Ｉ／Ｆ２１５により伝送端末１０との間で各種データの送受信が可能となったことを検出する。
【００８９】
インストール判定部４３ａは、接続検出部４２によって外部入力装置４０が伝送端末１０と送受信可能になったことが検出されると、外部入力装置用プログラム１４５１が外部入力装置４０にインストールされているか否かを判定する。プログラム取得部４３ｂは、インストール判定部４３ａによって外部入力装置用プログラム１４５１が外部入力装置４０にインストールされていないと判定されると、伝送端末１０の記憶部１０００（図４参照）から外部入力装置用プログラム１４５１を取得する。
【００９０】
操作入力受付部４６は、ユーザの操作によって入力された情報を受け付ける。表示制御部４７は、後述する記憶・読出処理部４９が読み出した画像をディスプレイ２１６に表示させる。マウント部４８は、伝送端末１０の記憶部１０００をマウントする。これにより、外部入力装置４０は、外部入力装置用プログラム１４５１をインストールできるようになる。
【００９１】
表示データ取得部４５１は、外部入力装置４０のディスプレイ２１６に表示されている画像を表す表示データを取得する。表示データ送信部４５２は、表示データ取得部４５１が取得した表示データを伝送端末１０に送信する。
【００９２】
記憶・読出処理部４９は、図３に示されるＨＤＤ２０５によって実行され、記憶部４０００に各種データを記憶したり、記憶部４０００に記憶された各種データを読み出したりする処理を行う。
【００９３】
＜＜実施形態の処理・動作＞＞
次に、本実施形態の伝送システム１において行われる各種処理及び動作について、図１７〜図２２を参照しながら説明する。なお、図１７は、各中継装置３０から伝送管理システム５０に送信された各中継装置３０の稼働状態を表す状態情報を管理する処理の一例を示すシーケンス図である。図１８は、各伝送端末１０間で通信を開始する準備段階の処理の一例を示すシーケンス図である。図１９は、伝送端末がセッションを確立する処理の一例を示すシーケンス図である。図２０は、外部入力装置４０が表示した表示データを会議の相手である伝送端末１０に表示させる処理の一例を示すシーケンス図である。図２１はディスプレイ１２０に表示される表示データの一例を示す図である。図２２は伝送システム１の全体構成のうち、外部入力装置４０ａａ、４０ｄｂのディスプレイ２１６ａａ、２１６ｄｂ、ディスプレイ１２０ａａ、１２０ｄｂに表示される画面を説明する図の一例である。
【００９４】
まず、図１７を参照して、各中継装置３０から伝送管理システム５０に送信された各中継装置３０の稼動状態を表す状態情報を管理する処理について説明する。まず、各中継装置３０（３０ａ〜３０ｄ）では、状態検知部３２（図４）が、自装置である中継装置３０の稼働状態を定期的に検知している（Ｓ１−１〜Ｓ１−４）。そして、伝送管理システム５０側で各中継装置３０の稼働状態をリアルタイムで管理させるべく、各中継装置３０の送受信部３１は、定期的に通信ネットワーク２を介して伝送管理システム５０へ各状態情報を送信する（ステップＳ２−１〜Ｓ２−４）。これら各状態情報には、各中継装置３０毎の中継装置ＩＤと、これら各中継装置ＩＤに係る中継装置３０の状態検知部３２で検知された稼働状態とが含まれている。なお、本実施形態では、中継装置３０ａ、３０ｂ及び３０ｄは、正常に稼働して「ＯＮライン」となっている一方で、中継装置３０ｃは、稼働中ではあるが、中継装置３０ｃの中継動作を実行するためのプログラムに何らかの不具合が生じて「ＯＦＦライン」となっている場合が示されている。
【００９５】
次に、伝送管理システム５０では、各中継装置３０ａ〜３０ｄから送られてきた各状態情報を送受信部５１が受信し、記憶・読出処理部５９を介して記憶部５０００の中継装置管理ＤＢ５００１（図７の中継装置管理テーブル）に、中継装置ＩＤ毎に状態情報を記憶して管理する（ステップＳ３−１〜Ｓ３−４）。これにより、中継装置管理テーブル（図７）に対して、中継装置ＩＤ毎に「ＯＮライン」、「ＯＦＦライン」または「故障中」のいずれかの稼働状態が記憶されて管理される。その際、中継装置ＩＤ毎に、伝送管理システム５０で状態情報が受信された受信日時も記憶されて管理される。なお、中継装置３０から状態情報が送られてこない場合には、中継装置管理テーブル（図７）の各レコードにおける稼働状態のフィールド部分及び受信日時のフィールド部分が空白になるか、または、前回の受信時の稼働状態及び受信日時が維持されて管理される。
【００９６】
次に、図１８を用いて、伝送端末１０ａａと伝送端末１０ｄｂとの間で、通信を開始する前の準備段階の処理について説明する。まず、ユーザが、電源スイッチ１０９（図２）をＯＮにすると、操作入力受付部１２（図４）が電源ＯＮを受け付けて、電源をＯＮにする（ステップＳ２１）。次に、ログイン要求部１３は、上記電源ＯＮの受信を契機とし、送受信部１１から通信ネットワーク２を介して伝送管理システム５０に、ログイン要求を示すログイン要求情報を自動的に送信する（ステップＳ２２）。このログイン要求情報には、要求元としての自装置である伝送端末１０ａａを識別するための端末ＩＤ及びパスワードが含まれている。これら端末ＩＤ及びパスワードは、記憶・読出処理部１９を介して記憶部１０００から読み出されて、送受信部１１に送られたデータである。なお、伝送端末１０ａａから伝送管理システム５０へログイン要求情報が送信される際、受信側である伝送管理システム５０は、送信側である伝送端末１０ａａのＩＰアドレスを把握することができる。
【００９７】
次に、伝送管理システム５０の端末認証部５２（図４）は、送受信部５１を介して受信したログイン要求情報に含まれている端末ＩＤ及びパスワードを検索キーとして、記憶部５０００の端末認証管理ＤＢ５００２（図８の端末認証管理テーブル）を検索し、端末認証管理ＤＢ５００２に同一の端末ＩＤ及びパスワードが管理されているかを判断することにより、端末認証を行う（ステップＳ２３）。この端末認証部５２によって、同一の端末ＩＤ及びパスワードが管理されているため正当な利用権限を有する伝送端末１０からのログイン要求であると判断された場合には、状態管理部５３は、端末管理ＤＢ５００３（図９の端末管理テーブル）に、伝送端末１０ａａの端末ＩＤ、稼働状態、上記ログイン要求情報が受信された受信日時、及び伝送端末１０ａａのＩＰアドレスを関連付けて記憶する（ステップＳ２４）。これにより、端末管理テーブル（図９）には、伝送端末ＩＤ「０１ａａ」に、稼働状態「ＯＮライン」、受信日時「２００９．１１．１０．１３：４０」及び端末ＩＰアドレス「１．２．１．３」が関連付けて管理されることになる。
【００９８】
次に、伝送管理システム５０の送受信部５１は、端末認証部５２によって得られた認証結果が示された認証結果情報を、通信ネットワーク２を介して、上記ログイン要求してきた要求元端末１０ａａに送信する（ステップＳ２５）。本実施形態では、端末認証部５２によって正当な利用権限を有する伝送端末であると判断された場合について、以下続けて説明する。
【００９９】
伝送管理システム５０の端末抽出部５４は、ログイン要求した要求元端末１０ａａの端末ＩＤ「０１ａａ」を検索キーとして、宛先リスト管理テーブル（図１０）を検索し、要求元端末１０ａａと通信することができる宛先端末１０の候補の端末ＩＤを読み出すことによって抽出する（ステップＳ２６）。ここでは、要求元端末１０ａａの端末ＩＤ「０１ａａ」に対応する宛先端末１０ａｂ、１０ｂａ及び１０ｄｂのそれぞれの端末ＩＤ「０１ａｂ」、「０１ｂａ」及び「０１ｄｂ」が抽出されることになる。
【０１００】
次に、端末状態取得部５５は、端末抽出部５４によって抽出された宛先端末１０の候補の端末ＩＤ（「０１ａｂ」、「０１ｂａ」、「０１ｄｂ」）を検索キーとして、端末管理テーブル（図９）を検索し、端末抽出部５４によって抽出された端末ＩＤ毎に稼働状態（「ＯＦＦライン」、「ＯＮライン」、「ＯＮライン」）を読み出すことにより、伝送端末（１０ａｂ、１０ｂａ、１０ｄｂ）の各稼働状態を取得する（ステップＳ２７）。
【０１０１】
次に、送受信部５１は、ステップＳ２７で使用された検索キーとしての端末ＩＤ（「０１ａｂ」、「０１ｂａ」、「０１ｄｂ」）と、対応する宛先端末（１０ａｂ、１０ｂａ、１０ｄｂ）の稼働状態（「ＯＦＦライン」、「ＯＮライン」、「ＯＮライン」）とが含まれた宛先状態情報を、通信ネットワーク２を介して要求元端末１０ａａに送信する（ステップＳ２８）。これにより、要求元端末１０ａａは、この要求元端末１０ａａと通信することができる宛先端末１０の候補である伝送端末（１０ａｂ、１０ｂａ、１０ｄｂ）の現時点のそれぞれの稼働状態（「ＯＦＦライン」、「ＯＮライン」、「ＯＮライン」）を把握することができる。
【０１０２】
さらに、伝送管理システム５０の端末抽出部５４は、ログイン要求してきた要求元端末１０ａａの端末ＩＤ「０１ａａ」を検索キーとして、宛先リスト管理テーブル（図１０）を検索し、要求元端末１０ａａの端末ＩＤ「０１ａａ」を宛先端末１０の候補として登録している他の要求元端末１０の端末ＩＤを抽出する（ステップＳ２９）。図１０に示される宛先リスト管理テーブルでは、抽出される他の要求元端末１０の端末ＩＤは、「０１ａｂ」、「０１ｂａ」及び「０１ｄｂ」である。
【０１０３】
次に、伝送管理システム５０の端末状態取得部５５は、ログイン要求してきた要求元端末１０ａａの端末ＩＤ「０１ａａ」を検索キーとして、端末管理テーブル（図９）を検索し、その要求元端末１０ａａの稼働状態を取得する（ステップＳ３０）。
【０１０４】
次に、送受信部５１は、ステップＳ２９で抽出された端末ＩＤ（「０１ａｂ」、「０１ｂａ」及び「０１ｄｂ」）の伝送端末（１０ａｂ，１０ｂａ，１０ｄｂ）のうち、端末管理テーブル（図９）で稼働状態が「ＯＮライン」となっている伝送端末（１０ｂａ、１０ｄｂ）に、ステップＳ３０で取得された要求元端末１０ａａの端末ＩＤ「０１ａａ」と稼働状態「ＯＮライン」が含まれる宛先状態情報を送信する（ステップＳ３１−１，Ｓ３１−２）。なお、送受信部５１が伝送端末（１０ｂａ、１０ｄｂ）に宛先状態情報を送信する際に、各端末ＩＤ（「０１ｂａ」、「０１ｄｂ」）に基づいて、端末管理テーブル（図９）で管理されている伝送端末のＩＰアドレスを参照する。これにより、ログイン要求した要求元端末１０ａａを宛先として通信することができる他の宛先端末（１０ｄｂ、１０ｂａ）の各々に、ログイン要求した要求元端末１０ａａの端末ＩＤ「０１ａａ」及び稼働状態「ＯＮライン」を伝えることができる。
【０１０５】
一方、他の伝送端末１０においても、ユーザが電源スイッチ１０９（図２）をＯＮにすると（上記ステップＳ２１）、操作入力受付部１２（図４）が電源ＯＮを受け付け、上記ステップＳ２２〜Ｓ３１−１、３１−２の処理と同様の処理を行うため、その説明を省略する。
【０１０６】
次に、図１９を参照して、伝送端末がセッションを確立する処理について説明する。本実施形態では、要求元端末１０ａａは、宛先の候補としての伝送端末１０のうち、上記ステップＳ２８において受信した宛先状態情報により、稼働状態が「ＯＮライン」である伝送端末１０ｂａ及び１０ｄｂのうち少なくとも一方と通信を行うことができる。そこで、以下の記載では、要求元端末１０ａａのユーザが宛先端末１０ｄｂと通信を開始することを選択した場合について説明する。
【０１０７】
まず、ユーザが操作ボタン１０８（図２）を押下して伝送端末１０ｄｂを選択すると、伝送端末１０ａａの操作入力受付部１２（図４）は、宛先を伝送端末１０ｄｂとする選択を受け付ける（ステップＳ４１）。次に、伝送端末１０ａａの送受信部１１は、要求元端末１０ａａの端末ＩＤ「０１ａａ」及び宛先端末１０ｄｂの端末ＩＤ「０１ｄｂ」が含まれ、通信を開始したい旨を示す開始要求情報を、伝送管理システム５０へ送信する（ステップＳ４２）。これにより、伝送管理システム５０の送受信部５１は、その開始要求情報を受信すると共に、送信元である要求元端末１０ａａのＩＰアドレス「１．２．１．３」を把握することになる。そして、状態管理部５３は、開始要求情報に含まれる要求元端末１０ａａの端末ＩＤ「０１ａａ」及び宛先端末１０ｄｂの端末ＩＤ「０１ｄｂ」に基づいて、端末管理ＤＢ５００３の端末管理テーブル（図９）上で、上記端末ＩＤ「０１ａａ」及び端末ＩＤ「０１ｄｂ」がそれぞれ含まれるレコードの稼働状態のフィールド部分を、それぞれ「通話中」に変更する（ステップＳ４３）。この状態では、要求元端末１０ａａと宛先端末１０ｄｂは、通信（通話）を開始していないが通話中状態となり、他の伝送端末１０が要求元端末１０ａａまたは宛先端末１０ｄｂと通信しようとすると、いわゆる通話中状態を示す旨の音声または表示が出力される。
【０１０８】
伝送管理システム５０は、中継装置３０を選択するためのセッションの実行に用いられる選択用セッションＩＤを生成する（ステップＳ４４）。そして、セッション管理部５７は、記憶部５０００のセッション管理テーブル（図１１）に、ステップＳ４４で生成された選択用セッションＩＤ「ｓｅ１」、要求元端末１０ａａの端末ＩＤ「０１ａａ」、及び宛先端末１０ｄｂの端末ＩＤ「０１ｄｂ」を関連付けて記憶して管理する（ステップＳ４５）。
【０１０９】
この後、伝送管理システム５０は、中継装置管理ＤＢ５００１及び端末管理ＤＢ５００３に基づいて、要求元端末１０ａａと宛先端末１０ｄｂとの通信を中継するための中継装置３０の絞り込みを行うが詳細は省略した。
【０１１０】
次に、伝送管理システム５０のセッション管理部５７は、セッション管理ＤＢ５００５のセッション管理テーブル（図１１）において、選択用セッションＩＤ「ｓｅ１」が含まれるレコードの中継装置ＩＤのフィールド部分に、上記の最終的に１つに選択された中継装置３０ａの中継装置ＩＤ「１１１ａ」を記憶して管理し（ステップＳ６７−１）、送受信部５１は中継装置ＩＤ「１１１ａ」、宛先端末１０ｄｂのＩＰアドレス「１．３．２．４」を要求元端末１０ａａに送信する（ステップＳ６７−２１）。なお、伝送管理システム５０の送受信部５１は、通信ネットワーク２を介して中継装置３０ａへ、中継を開始する旨の要求が示された中継開始要求情報を送信する（ステップＳ６８）。この中継開始要求情報には、中継される要求元端末１０ａａ及び宛先端末１０ｄｂの各ＩＰアドレス（「１．２．１．３」、「１．３．２．４」）が含まれている。これにより、中継装置３０ａは、伝送端末１０ａａと伝送端末１０ｄｂとの間で、低解像度、中解像度及び高解像度の３つの画像データと音声データを通信するためのセッションを確立する（ステップＳ６９）。これにより、各伝送端末（１０ａａ、１０ｄｂ）は、テレビ会議を開始することができる。なお、通信する３つの画像データはあくまで一例であり、３つより多くても少なくてもよい。
【０１１１】
なお、各伝送端末１０は、H.264（H.264/AVC、MPEG-4 part10、MPEG4 AVC）、その拡張規格であるH.264/SVC、又は、Mpeg2などの映像符号化標準規格を利用して、画像データの送受信を行う。
【０１１２】
次に、中継装置３０が決定された後に、外部入力装置４０のディスプレイ２１６に表示される画像を表す表示データを他の伝送端末１０に送信してディスプレイ１２０に表示させる処理について、図２０を参照しながら説明する。ここでは、伝送端末１０ａａに接続されている外部入力装置４０ａａが表示している情報を、宛先端末である伝送端末１０ｄｂに表示させる場合を例にとって説明する。
【０１１３】
上記のように中継装置３０が決定されると、ステップＳ６７−２１において伝送管理システム５０が送信した中継装置ＩＤ「１１１ａ」及び宛先端末１０ｄｂのＩＰアドレス「１．３．２．４」を、伝送端末１０ａａの送受信部１１が受信する。そして、その受信された中継装置ＩＤ「１１１ａ」及びＩＰアドレス「１．３．２．４」を、記憶・読出処理部１９が記憶部１０００に記憶させる（ステップＳ６７−２２）。
【０１１４】
また、外部入力装置４０ａａが伝送端末１０ａａに接続されると、外部入力装置４０ａａの接続検出部４２（図１３）が、その接続を検知（検出）する（ステップＳ７０）。なお、外部入力装置４０ａａが起動すると、表示制御部４７が少なくとも全体領域を含む画面を表示している。接続検出部４２が、外部入力装置４０ａａと伝送端末１０ａａの接続を検出すると、インストール判定部４３ａは、外部入力装置４０ａａが表示データ取得部４５１、及び、表示データ送信部４５２を備えているかを判定する（ステップＳ７１）。具体的には、インストール判定部４３ａは、外部入力装置４０ａａに外部入力装置用プログラム１４５１がインストールされているか否かを判定する。外部入力装置用プログラム１４５１がインストールされている場合には、それぞれに対応する機能部を外部入力装置４０ａａが備えていると判定される。
【０１１５】
一方、インストール判定部４３ａによって、外部入力装置４０ａａが表示データ取得部４５１又は表示データ送信部４５２のいずれかを備えていないと判定された場合には、マウント部４８が、伝送端末１０ａａの記憶部１０００をマウントする（ステップＳ７２）。次いで、プログラム取得部４３ｂが、伝送端末１０の記憶部１０００に記憶されている外部入力装置用プログラム１４５１を取得し、インストールする（ステップＳ７３）。これによって、外部入力装置４０ａａは、表示データ取得部４５１及び表示データ送信部４５２を備えることになる。なお、外部入力装置用プログラム１４５１を、外部入力装置４０ａａが予め有していてもよい。
【０１１６】
ステップＳ７３の処理が終了すると、送受信部４１は、表示データを送信する許可を要求するための情報を伝送端末１０ａａに送信する（ステップＳ７４）。そして、伝送端末１０ａａから要求に対する許可を表す情報を送受信部４１が受信すると、表示データ取得部４５１は、ディスプレイ２１６に表示されている画像を表す表示データを取得する（ステップＳ７５）。
【０１１７】
この段階で表示データの解像度を変更してもよい。ディスプレイ２１６とディスプレイ１２０とで解像度が異なる場合に、表示データを適切に表示できるようになる。
【０１１８】
送信元の伝送端末１０ａａの外部情報送受信部１８が外部入力装置４０ａａから表示データを受信すると、記憶・読出処理部１９が、記憶部１０００に記憶されている中継装置ＩＤ「１１１ａ」と、宛先となる伝送端末１０ｄｂのＩＰアドレス「１．３．２．４」を読み出す（ステップＳ７７）。
【０１１９】
そして、ステップＳ７４で読み出された中継装置ＩＤ「１１１ａ」で示される中継装置３０に対して、送受信部１１が、解像度が変換された表示データと、宛先となる伝送端末１０ｄｂのＩＰアドレス「１．３．２．４」を送信する（ステップＳ７８）。
【０１２０】
中継装置３０が、ステップＳ７８で伝送端末１０ａａから送信された表示データを受信すると、宛先の伝送端末１０ｄｂのＩＰアドレス「１．３．２．４」に基づいて、表示データの画質を変更し（ステップＳ７９）、伝送端末１０ｄｂに表示データを送信する（ステップＳ８０）。
【０１２１】
中継装置３０から送信された表示データを伝送端末１０ｄｂの送受信部１１が受信すると、画像表示制御部１４ｂが、その受信した表示データによって表される画像をディスプレイ１２０に表示させる（ステップＳ８１）。例えば、図２１に示される表示画面の例では、画面左部には、外部入力装置４０ａａで表示された表示データが表示され、画面右上部には、伝送端末１０ａａの撮像部１４ａによって撮像され、送受信部１１によって送信された画像データが表示される。また、画面右下部には、伝送端末１０ｄｂの撮像部１４ａによって撮像された画像データが表示される。
【０１２２】
図２２は、伝送システム１の全体構成のうち、外部入力装置４０ａａ、４０ｄｂのディスプレイ２１６ａａ、２１６ｄｂ、ディスプレイ１２０ａａ、１２０ｄｂに表示される画面を説明する図の一例である。外部入力装置４０ａａにはユーザが、伝送端末１０ｄｂと共有したい画面が表示される。外部入力装置４０ａａ、４０ｄｂに表示される画面をデスクトップ画面という。デスクトップ画面には全体を１つの領域（以下、区別するため全体領域という）として、全体領域の中に複数の領域が表示されうる（領域が１つも表示されないことがある。）。図２２では一例として全体領域、領域Ａ及び領域Ｂが表示されている。
【０１２３】
図２０の処理により、ディスプレイ１２０ａａには伝送端末１０ａａが画像データ及び表示データを表示させ、ディスプレイ１２０ｄｂには伝送端末１０ｄｂが画像データ及び表示データを表示させる。以下、この画面を表示画面という。図２２の上段の表示画面では、表示データとして全体領域が、画像データとして伝送端末１０ａａのユーザａａと伝送端末１０ｄｂのユーザｄｂが表示されている。下段の表示画面では、表示データとして領域Ａが、画像データとして伝送端末１０ａａのユーザａａと伝送端末１０ｄｂのユーザｄｂが表示されている。ユーザは、それぞれの表示画面において、全体領域又は任意の領域Ａ，Ｂを選択して表示することができる。なお、ユーザａａが表示画面を変更しても、外部入力装置４０ｄｂのディスプレイ２１６ｄｂには、ユーザｄｂが表示させる全体領域と領域が表示されたままであり、ユーザａａの操作により影響されない。
【０１２４】
〔表示データの共有〕
図２３（ａ）は外部入力装置４０ａａに表示されているデスクトップ画面の一例を示す図である。外部入力装置４０ａａには外部入力装置用プログラムがインストールされており、定常的に又はユーザが所定の操作を行うことで例えばデスクトップ画面の右下に共有設定受付ボタン３０１を表示させる。所定の操作は、例えば外部入力装置用プログラムのアイコンをクリック又はダブルクリックすること、該アイコンをマウスオーバーすることなどである。
【０１２５】
図２３（ｂ）（ｃ）は共有設定受付ボタン３０１を拡大して示す図の一例である。図２３（ｂ）では「共有の開始」という文字が表示された共有設定受付ボタン３０１が、図２３（ｃ）では「共有の停止」という文字が表示された共有設定受付ボタン３０１が示されている。図２３（ｂ）でユーザがポインティングデバイスで共有設定受付ボタン３０１をクリックすると、外部入力装置４０ａａのディスプレイ２１６ａａに表示されている表示データの共有が開始される。また、外部入力装置４０ａａのディスプレイ２１６ａａに表示されている表示データが共有されている状態では図２３（ｃ）の共有設定受付ボタン３０１が表示される。図２３（ｃ）でユーザがポインティングデバイスで共有設定受付ボタン３０１をクリックすると、外部入力装置４０ａａのディスプレイ２１６ａａに表示されている表示データを、伝送端末１０ｄｂと共有することが停止される（表示データが伝送端末１０ａａに送信されなくなる。）。
【０１２６】
図１３に示した操作入力受付部４６は、共有設定受付ボタン３０１に対するユーザの操作を受け付ける。表示データ取得部４５１はユーザが「共有の開始」が表示された共有設定受付ボタン３０１をクリックした場合、ユーザが選択する領域を表示データとして取得する。
【０１２７】
なお、本実施形態の伝送システム１では、最後に「共有の開始」という共有設定受付ボタン３０１をクリックした外部入力装置４０の全体領域又は領域の表示データが共有されるようになっている。したがって、ユーザｄｂが図２３（ｂ）の「共有の開始」が表示された共有設定受付ボタン３０１をクリックした場合、ユーザａａが図２３（ｃ）の「共有の停止」の共有設定受付ボタン３０１をクリックしなくても、外部入力装置４０ａａのディスプレイ２１６に表示されている表示データの共有が自動的に停止する。
【０１２８】
〔端末が表示する画面表示例〕
伝送端末１０がディスプレイ１２０に表示する画面は、レイアウトの変更が可能であり、例えば以下のようなモード（特許請求の範囲の表示モードの一例である）に応じてレイアウト（画面レイアウト）が切り替わる。
【０１２９】
・マルチビューモード（相手映像をメインにして右側、下側、左側に残りの拠点（自拠点含む）の映像が小さく表示される）
・PandPモード（自拠点を含む参加拠点が同じ大きさで配列される）
・フルスクリーンモード
図２４は表示画面の各レイアウトの一例を示す図であり、図２４（ａ）はマルチビューモードのレイアウトを、図２４（ｂ）はPandPモードのレイアウトを、図２４(ｃ)はフルスクリーンモードのレイアウトをそれぞれ示している。ユーザは表示画面のレイアウトを選択できる。
【０１３０】
１つの会議に参加可能な伝送端末の上限数は、ネットワークの帯域、伝送管理システム、中継装置の仕様などにより制限され、また、各伝送端末が一度に表示可能な領域数も伝送端末の仕様などにより制限される。ただし、実用上は十分な上限数及び領域数が確保されている。上限数と領域数が異なっている場合（上限数＞領域数の場合）、以下のように、領域に画像データ又は表示データが表示される伝送端末（拠点）１０が決定される。
【０１３１】
また、会議に参加する相手側の伝送端末が複数ある場合、表示画像決定部１７は各領域に画像データ又は表示データを表示する伝送端末を決定する。
【０１３２】
・マルチビューモード
表示画像決定部１７は、例えば、音声データの音量が最も大きい伝送端末の画像データ又は表示データを領域１に表示すると決定する。これにより、発言中のユーザが使用する伝送端末の画像データ又表示データを大きく表示することができる。
【０１３３】
大きさが均等な領域（領域２〜４又は領域２〜９）については、表示画像決定部１７は、例えば会議に参加した順番に、領域を各伝送端末に割り当てる。こうすることで、上又は端から領域が埋まっていくので、ユーザは各参加者を確認しやすい。
【０１３４】
なお、自拠点の画像データ又は表示データは、予め定められた規則に基づき領域２〜４又は領域２〜９の予め決まった領域が割り当てられる（例えば右下）。
【０１３５】
・PandPモード
大きさが均等な領域（領域１〜４又は領域１〜９）については、表示画像決定部１７は、例えば会議に参加した順番に、領域を各伝送端末に割り当てる。また、領域１については、音声データの音量が最も大きい伝送端末の画像データ又は表示データを表示すると決定してもよい。この場合、大きさは均一でも常に領域１に発言中のユーザが使用する伝送端末の画像データ又表示データを表示できる。自拠点の画像データ又は表示データは、例えば右下などの予め決まった領域が割り当てられる。
【０１３６】
・フルスクリーンモード
表示画像決定部１７は、例えば、音声データの音量が最も大きい伝送端末１０の画像データ又は表示データを領域１に表示すると決定する。
【０１３７】
なお、いずれのモードにおいても、表示画像決定部１７が一度、決定した領域と拠点の対応は固定である必要はない。例えば、ユーザは任意の拠点が送信する画像データ又は表示データを任意の領域に割り当てることができる。
【０１３８】
〔配置情報管理テーブルの作成〕
図２５は、配置情報管理テーブル更新部２２が配置情報管理テーブルを作成する手順を示すシーケンス図の一例である。すでに２つ以上の伝送端末間でセッションが確立している。伝送端末Ａの端末ＩＤを０１ａａ、伝送端末Ｂの端末ＩＤを０１ａｂとする。
【０１３９】
S1：伝送端末０１ａｂは中継装置３０を経由して画像データ又は表示データ（図では画像データ２）を送信する。
【０１４０】
S2：中継装置３０は新たに画像データ又は表示データを受信すると、会議画像管理テーブルを更新する。画像データを受信した場合、伝送端末０１ａｂが送信する画像データに送信データＩＤを付与する。なお、伝送端末０１ａｂは、画像データ又は表示データのいずれかを中継装置に送信するものとして説明するが、両方を送信することも可能である。
【０１４１】
S3：中継装置３０は、端末ＩＤ、及び、画像データ２という送信データＩＤが付与された画像データを、伝送端末０１ａａを含めセッションが確立している全ての伝送端末１０に送信する。
【０１４２】
S4：伝送端末Ａの配置情報管理テーブル更新部２２は、配置情報管理テーブルを更新する。ここで、表示画像決定部１７が上記のようにどの領域に画像データを割り当てるかを決定するので、配置情報管理テーブルの「領域」、「送信データＩＤ」、及び、「端末ＩＤ」に値が登録される。
【０１４３】
S5：拠点名称取得部２１は、伝送管理システムが有する端末ＩＤ＝０１ａａを送信元とする拠点名称管理テーブルから、端末ＩＤ＝０１ａｂに紐付いた拠点名を要求する。ステップS5又はこれよりも前のタイミングで、端末ＩＤ＝０１ａａを送信元とする拠点名称管理テーブルそのものを伝送管理ステムからダウンロードしておいてもよい。
【０１４４】
S6：拠点名称取得部２１は、伝送管理システムから例えば「大森」という拠点名を取得する。
【０１４５】
S7：配置情報管理テーブル更新部２２は、拠点名を用いて配置情報管理テーブルを更新する。すなわち、配置情報管理テーブルの「拠点名」に「大森」と登録する。
【０１４６】
以上の処理をセッションが確立されている他の伝送端末についても繰り返すことで、配置情報管理テーブルに、セッションが確立している全ての伝送端末が割り当てられた領域、端末ＩＤ、データ別及び拠点名が登録される。
【０１４７】
したがって、会議が始まって、中継装置が伝送端末に画像データ２という送信データＩＤが付与された画像データを配信した場合、各伝送端末は送信データＩＤ（画像データ１）に基づき拠点名を特定し、画像データ１に拠点名を合成できる。
【０１４８】
伝送端末が配置情報管理テーブルを有することで、伝送端末が画像データ又は表示データに拠点名を合成する際に、伝送管理システムに都度、問い合わせるよりも遅延を大幅に抑制できる。
【０１４９】
なお、予め伝送端末１０が配置情報管理テーブルを常に有しているとしてもよい。しかし、送信データＩＤは中継装置が動的に付与するため送信データＩＤと端末ＩＤの対応が変更される可能性がある。このため、本実施形態のように伝送端末１０が会議の開始時に
配置情報管理テーブルを作成することが好ましい。
【０１５０】
なお、このシーケンス図では、自拠点の拠点名を取得する手順が明らかでないが、自拠点の拠点名は、伝送端末の起動時に伝送管理システムから取得しておく。または、自拠点に対しては、予め初期設定の拠点名（例えば、「自拠点」）が伝送端末に設定されており、伝送管理システムから取得せずに表示してもよい。または、自拠点の画像データ又は表示データが表示される領域には拠点名を表示しなくてもよい。
【０１５１】
〔表示例〕
図２６は、拠点名の合成を模式的に説明する図の一例である。拠点名称合成部２３は、ＪＰＥＧやＢＭＰなどで送信される画像データ又は表示データに対し、画素演算を行うことで拠点名を合成する。例えば、画像データ又は表示データと同じサイズの画像メモリに、拠点名をレンダリングした画素値データを用意する。拠点名称合成部２３は、画像データ又は表示データの拠点名に対応する画素値を画像メモリの画素値で上書きする（置き換える）。
【０１５２】
また、上書きするのでなく、画素値を加算したり減算してもよい。また、画像データの拠点名に対応する画素値と画像メモリの画素値の平均を取って、拠点名を半透明にして画像データに重ねてもよい。
【０１５３】
図２７は、各伝送端末のディスプレイ１２０に表示される表示画面の一例を示す。図２７（ａ）は端末ID=０１ａａ、図２７（ｂ）は端末ID=０１ａｂの表示画面である。どちらも領域４に自拠点の画像データ又は映像データを表示している。
【０１５４】
端末ＩＤ＝０１ａａと０１ａｂが会議している他の伝送端末（例えば、端末ＩＤ＝０１ｂａ，０１ｄｂ）は共通なので、いずれも端末ＩＤ＝０１ａａ，０１ａｂ，０１ｂａ，０１ｄｂの画像データ又は表示データが表示されている。しかしながら、図２７（ａ）の端末ＩＤ＝０１ａａの伝送端末のディスプレイ１２０には拠点名が漢字で表示され、図２７（ｂ）の端末ＩＤ＝０１ａｂの伝送端末のディスプレイ１２０には拠点名がローマ字で表示されている。
【０１５５】
このように、伝送端末１０の拠点名を各伝送端末のユーザごとに変更させることができる。また、伝送端末１０の拠点名をユーザが任意に変更して伝送管理システムに登録しておくことができる。
【０１５６】
〔配置情報管理テーブルの更新〕
図２８は、拠点名の更新処理を示すフローチャート図の一例である。伝送端末１０はレイアウトが変更される度に拠点名と領域を正しく対応づけて表示画面を表示する。
【０１５７】
配置情報管理テーブル更新部２２は、レイアウト変更の契機が検出されたか否かを判定する（Ｓ１０１０）。レイアウト変更には以下のような契機がある。
a．ユーザがモードを切り替えた場合
b．ユーザが新たに表示データを表示する操作を行った場合
c．ユーザが新たに画像データを表示する操作を行った場合
d．拠点が増えた場合
e．拠点が減った場合
ａの操作は、操作入力受付部１２が検出する。ｂ、ｃのうち自拠点のユーザの操作については外部情報送受信部１８が検出する。ｂ、ｃのうち他拠点のユーザの操作については、中継装置からある伝送端末が送信するデータのデータ種別が切り替わったという通知（新たな送信データＩＤと端末ＩＤ）を受信することで検出する。ｄについては、中継装置から新しい拠点の端末ＩＤと送信データＩＤを取得することで検出する。ｅについては例えばセッションが切れたことを検出してもよいし、伝送管理システムからの通知を利用してもよい。
【０１５８】
レイアウト変更の契機が検出された場合（Ｓ１０１０のＹｅｓ）、表示画像決定部１７は表示する画像データ又は表示データを決定する（Ｓ１０２０）。まず、モードに変更があった場合は変更後のモードのレイアウトを特定する。そして、特定したレイアウトで表示される領域数を上限に、複数の拠点から表示する画像データ又は表示データを決定する。領域数に制限がなければ、表示する画像データ又は表示データを決定することなく全ての画像データ又は表示データを表示してもよい。
【０１５９】
拠点名称取得部２１は、自拠点の端末ＩＤと紐付いた拠点名称管理テーブルにおいて、表示すると決定された画像データ又は表示データを送信する端末の端末ＩＤと紐付いている拠点名を取得する（Ｓ１０３０）。セッションが確立している全ての伝送端末の端末ＩＤは配置情報管理テーブルに登録されている。
【０１６０】
配置情報管理テーブル更新部２２は、配置情報管理テーブルを更新する（Ｓ１０４０）。すなわち、表示すると決定された画像データ又は表示データの領域を決定し、送信データＩＤ、端末ＩＤ、及び、拠点名を対応づけて登録する。
【０１６１】
次いで、拠点名称合成部２３は、拠点名を、領域毎に画像データ又は表示データと合成する（Ｓ１０５０）。すなわち、中継装置から画像データ又は表示データと共に送信される送信データＩＤに基づき、配置情報管理テーブルから拠点名を読み出して、画像データ又は表示データに合成する。
【０１６２】
画像表示制御部は、モードと拠点数に応じたレイアウトで表示画面をディスプレイ１２０に表示する（Ｓ１０６０）。すなわち、レイアウトに基づき各領域の位置を決定し、各領域のサイズに応じて画像データ又は表示データを縮小・拡大するなどして、拠点名が合成された画像データ又は表示データを各領域に配置する。
【０１６３】
このように、レイアウトが変わる毎に配置情報管理テーブルを更新するので、会議中にレイアウトが変わっても領域と拠点名の対応を正しく維持できる。
【０１６４】
〔変形例〕
図２９（ａ）は、配置情報管理テーブルの別の一例を、図２９（ｂ）は、表示画面の表示例をそれぞれ示す図である。配置情報管理テーブルに新たに「タイムゾーン」フィールドが設けられている。「タイムゾーン」は、同じ標準時が使用される地域又はその標準時をいう。ＵＴＣ＋９はグリニッジ天文台より９時間遅れた時間を標準時とするタイムゾーンである。
【０１６５】
拠点名称合成部２３は、配置情報管理テーブルにタイムゾーンが登録されている場合、拠点名と共に、タイムゾーンに基づく現地時刻を画像データ又表示データに合成する。例えば、銀座の現地時刻が１７：００の場合、ニューヨークの現地時刻は８：００である。
【０１６６】
図２９（ｂ）に示すように、拠点名と現地時刻が表示されるので、ユーザは会議に参加している拠点のタイムゾーンを配慮して行動することができる。なお、配置情報管理テーブルには、この他、拠点の主な宗教、文化的特徴など任意の情報を登録できる。
【０１６７】
以上説明したように、本実施形態の伝送システムは、テレビ会議用の伝送端末の名称を各端末のユーザが任意に設定できる。
【０１６８】
なお、上記各実施形態における中継装置３０、伝送管理システム５０、伝送端末管理システム８０、プログラム提供システム９０、及びメンテナンスシステム１００は、単一のコンピュータによって構築されてもよいし、各部（機能又は手段）を分割して任意に割り当てられた複数のコンピュータによって構築されていてもよい。
【０１６９】
また、プログラム提供システム９０が単一のコンピュータによって構築されている場合には、プログラム提供システム９０によって送信されるプログラムは、複数のモジュールに分けて送信されるようにしてもよいし、分けないで送信されるようにしてもよい。
【０１７０】
さらに、プログラム提供システム９０が複数のコンピュータによって構築されている場合には、複数のモジュールが分けられた状態で、各コンピュータから送信されるようにしてもよい。
【０１７１】
また、上記本実施形態の端末用プログラム、中継装置用プログラム、伝送管理用プログラム、又は伝送端末管理システム用プログラムが記憶された記録媒体、並びに、これらプログラムが記憶されたＨＤ２０４、及びこのＨＤ２０４を備えたプログラム提供システム９０は、いずれもプログラム製品(Program Product)として、国内又は国外へ、上記端末用プログラム、中継装置用プログラム、伝送管理用プログラム、及び伝送端末管理システム用プログラムがユーザ等に提供される場合に用いられる。
【０１７２】
（実施形態の補足）
上記実施形態の説明では、図１に示す伝送システム１の一例として、テレビ会議システムの場合について説明した。しかしながら、伝送システム１は、ＩＰ（Ｉｎｔｅｒｎｅｔ  Ｐｒｏｔｏｃｏｌ）電話や、インターネット電話等の電話システムであってもよい。
【０１７３】
また、伝送システム１は、携帯電話機（スマートフォン等）の通信システムであってもよい。この場合、伝送端末１０は携帯電話機に相当する。伝送端末１０が携帯電話機である場合は、携帯電話機の本体、この本体に設けられた表示ボタン、本体に設けられた表示部（タッチパネル）、本体に設けられたマイク、本体に設けられたスピーカ等を備えている。この場合、例えば伝送端末１０は携帯電話回線（基地局からの空中線電力により、主に屋外などの比較的広い範囲をカバーする無線通信を含む）などを介してインターネットに接続される。
【０１７４】
また、伝送システム１は、移動体に搭載されたカーナビゲーション装置を含むシステムであってもよい。図３０は、伝送端末１０をカーナビゲーション装置２００に適用した場合のシステム構成の一例を示す図である。以下、カーナビゲーション装置２００を区別する場合、カーナビゲーション装置２００の符号を２００−ｉ（ｉは自然数）で表す。
【０１７５】
この場合、一方の伝送端末１０は、自動車６０１に搭載されたカーナビゲーション装置２００−２に相当する。他方の伝送端末１０は、管理センター６０４のコミュニケータが使用する管理端末２００−１、又は、他の自動車６０２に搭載されているカーナビゲーション装置２００−３に相当する。管理端末２００−１、カーナビゲーション装置２００−２、及び、カーナビゲーション装置２００−３は、ネットワーク２を介して互いに接続されている。また、管理端末２００−１、カーナビゲーション装置２００−２、及び、カーナビゲーション装置２００−３は、伝送管理システム５０によりセッションを確立させる。
【０１７６】
図３１は、カーナビゲーション装置の構成の一例を示す図である。カーナビゲーション装置２００は、これまで説明した伝送端末１０に、ＧＰＳ受信機６１２、車速センサ６１３、ジャイロセンサ６１４、道路地図データ６１５が接続された態様を有している。また、伝送端末１０は一体にディスプレイ１２０を有している。なお、ディスプレイ１２０は有線又は無線で伝送端末１０と接続されていてもよいし、伝送端末１０に対し着脱可能であってもよい。
【０１７７】
伝送端末１０は、プログラムを実行してカーナビゲーション装置２００としての機能を提供する。ＧＰＳ受信機６１２はＧＰＳ衛星を捕捉して現在位置の座標を出力する。車速センサ６１３は自動車６０１，６０２の速度（車輪の回転速度）を検出するセンサである。ジャイロセンサ６１４は角速度を検出するセンサであり、角速度を積分することで車両の走行方向が検出可能となる。
【０１７８】
道路地図データ６１５は、道路をノードとリンクの組み合わせで表したデータであり、外部からダウンロードされても、予め車両が保持していてもよい。道路地図はディスプレイ１２０に表示される。
【０１７９】
なお、伝送端末１０に画面共有用のＰＣが接続されてもよい。また、カーナビゲーション装置２００は、図３１で図示されている構成の他に、ラジオやＴＶ放送を受信するチューナー機能、音楽を再生するオーディオ機能、リアビューカメラ等の車載カメラとの連動機能、Ｗｅｂサイトを表示するブラウザ機能等を有していてもよい。
【０１８０】
伝送端末１０は、ＧＰＳ受信機６１２が検出する位置情報を起点にして、ジャイロセンサ６１４が検出する走行方向に車速センサ６１３が検出する走行距離を累積する自律航法により自車位置を推定する。自車位置は自車マークなどにより道路地図上に表示される。また、目的地までの経路を探索し運転者に案内する。このようにして、伝送端末１０はカーナビゲーションとしての機能を実現する。
【０１８１】
カーナビゲーション２００は、伝送端末１０によりネットワーク２に接続される。例えば、携帯電話機を用いて携帯電話回線（基地局からの空中線電力により、主に屋外などの比較的広い範囲をカバーする無線通信を含む）などを介してネットワーク２に接続される。
【０１８２】
カーナビゲーション装置２００としての伝送端末１０は、ネットワーク２に接続された他の伝送端末１０を含む宛先端末のリストをディスプレイ１２０に表示する。ディスプレイ１２０に表示された宛先端末のリストから宛先端末が選択され、宛先端末とのセッションが確立すると、伝送端末１０（又はカーナビゲーション装置）は画像データや音声データ等を、選択された宛先端末に送信、又は選択された宛先端末から受信できる。
【０１８３】
また、ユーザがカーナビゲーション装置２００又は伝送端末１０を操作することで伝送端末１０は道路地図やＴＶ映像などの表示データを取り込むことができる。伝送端末１０はこの表示データを、ネットワーク２に接続された他の伝送端末１０に送信できる。
【０１８４】
また、ユーザがディスプレイ１２０に表示された宛先端末のリストから、管理センター６０４のコミュニケータが使用する管理端末２００−１を選択すると、ディスプレイ１２０にコミュニケータの画像データが表示されスピーカから音声が出力される。よって、ユーザはコミュニケータとＴＶ電話のように会話することができる。
【０１８５】
以上説明したように、移動体に搭載されカーナビゲーション装置２００としての伝送端末１０は、テレビ会議システムの伝送端末１０と同様に、画像データ、音声データ及び表示データ等を送受信する。したがって、本実施形態の伝送システム１は、移動体に搭載されたカーナビゲーション装置２００に含まれるシステムであってもよい。
【０１８６】
また、上記実施形態では、伝送システム１によってテレビ会議をする場合について説明したが、これに限るものではなく、打ち合わせ、家族間や友人間等の一般的な会話、又は、一方向での情報の提示に使用されても構わない。
【符号の説明】
【０１８７】
１  伝送システム
２  通信ネットワーク
１０（１０ａａ，…，１０ｄｂ）  伝送端末
２２    帯域状態監視部
２３    狭帯域状態監視部
３０（３０ａ，…，３０ｄ）  中継装置
４０（４０ａａ，…，４０ｄｂ）  外部入力装置
４１  送受信部
４２  接続検出部
４３ａ  インストール判定部
４３ｂ  プログラム取得部
４５１  表示データ取得部
４５２  表示データ送信部
５０    伝送管理システム
１２０，２１６ディスプレイ
【先行技術文献】
【特許文献】
【０１８８】
【特許文献１】特開平09−238318号公報
【図１】
2015015698.tif 000003
【図２】
2015015698.tif 000004
【図３】
2015015698.tif 000005
【図４】
2015015698.tif 000006
【図５】
2015015698.tif 000007
【図６】
2015015698.tif 000008
【図７】
2015015698.tif 000009
【図８】
2015015698.tif 000010
【図９】
2015015698.tif 000011
【図１０】
2015015698.tif 000012
【図１１】
2015015698.tif 000013
【図１２】
2015015698.tif 000014
【図１３】
2015015698.tif 000015
【図１４】
2015015698.tif 000016
【図１５】
2015015698.tif 000017
【図１６】
2015015698.tif 000018
【図１７】
2015015698.tif 000019
【図１８】
2015015698.tif 000020
【図１９】
2015015698.tif 000021
【図２０】
2015015698.tif 000022
【図２１】
2015015698.tif 000023
【図２２】
2015015698.tif 000024
【図２３】
2015015698.tif 000025
【図２４】
2015015698.tif 000026
【図２５】
2015015698.tif 000027
【図２６】
2015015698.tif 000028
【図２７】
2015015698.tif 000029
【図２８】
2015015698.tif 000030
【図２９】
2015015698.tif 000031
【図３０】
2015015698.tif 000032
【図３１】
2015015698.tif 000033